【手続補正書】
【提出日】平成23年8月5日(2011.8.5)
【手続補正１】
【補正対象書類名】特許請求の範囲
【補正対象項目名】全文
【補正方法】変更
【補正の内容】
【特許請求の範囲】
【請求項１】
静電荷像を担持するための静電荷像担持体を、該静電潜像担持体に接触配置した帯電部材によって帯電し、帯電された静電荷像担持体に静電荷像を形成し、トナー担持体に担持された磁性トナーによって静電荷像を現像してトナー像を形成する工程を有する画像形成方法であり、
該静電荷像担持体は、２５℃、湿度５０％の環境下でビッカース四角錐ダイヤモンド圧子を用いた硬度試験において、荷重５ｍＮで押し込んだ時の弾性変形率が３０％以上４５％以下であり、
該磁性トナーは、結着樹脂及び磁性体を含む磁性トナー粒子と、無機微粉体及び有機微粉体とを含み、
該磁性トナーは、下記式（１）
圧縮率＝｛１−（見掛け密度／タップ密度）｝×１００    式（１）
から得られる圧縮率が３０％以下であり、
該有機微粉体が個数平均粒径（Ｄ１）０．０５μｍ以上１．００μｍ以下の樹脂粒子であり、
該樹脂粒子の該磁性トナー粒子からの遊離率が３質量％以下であることを特徴とする画像形成方法。
【請求項２】
該静電荷像担持体が、その表面層が下記式（２）
【化１】
2010039263.tif 000001
（式（２）中、Ｘは単結合、−Ｏ−、−Ｓ−又は置換もしくは無置換のアルキリデン基を示す。Ｒ11〜Ｒ18は同一又は異なって、水素原子、ハロゲン原子、アルコキシ基、ニトロ基、置換もしくは無置換のアルキル基又は置換もしくは無置換のアリール基を示す。）
で示され、且つ重量平均分子量（Ｍｗ）が７．５×１０3以上２．０×１０4以下である構成単位を有するポリカーボネート樹脂を５質量％以上３０質量％以下含有する感光体であることを特徴とする請求項１に記載の画像形成方法。
【請求項３】
該磁性トナーの粉体流動性測定装置において測定されたＴｏｔａｌ  Ｅｎｅｒｇｙが下記式（３）及び（４）
８００≦ＴＥ10≦１４００                  式（３）
ＴＥ10／ＴＥ100≦１．６０                  式（４）
（ＴＥ10；撹拌速度が１０回転の時のＴｏｔａｌ  Ｅｎｅｒｇｙ、ＴＥ100；撹拌速度が１００回転の時のＴｏｔａｌ  Ｅｎｅｒｇｙ）
を満足することを特徴とする請求項１または２に記載の画像形成方法。
【請求項４】
該樹脂粒子のＢＥＴ法で測定される比表面積が１０ｍ2／ｇ以上８０ｍ2／ｇ以下であり、重量平均分子量（Ｍｗ）が５万以上１００万以下であることを特徴とする請求項１乃至３のいずれかに記載の画像形成方法。
【請求項５】
該磁性トナーは、磁場７９．６ｋＡ／ｍで着磁されたときの残留磁化が３．０Ａｍ2／ｋｇ以下であることを特徴とする請求項１乃至４のいずれかに記載の画像形成方法。
【請求項６】
該磁性トナーは、該磁性トナー粒子が懸濁重合法で製造されたトナー粒子であることを特徴とする請求項１乃至５のいずれかに記載の画像形成方法。
【請求項７】
該磁性トナーは、該磁性トナー粒子が熱処理による表面改質工程を含む粉砕法により製造されたことを特徴とする請求項１乃至５のいずれかに記載の画像形成方法。
【請求項８】
静電荷像担持体、及び、磁性トナーを有する現像容器を有するプロセスカートリッジであり、
該静電荷像担持体は、２５℃、湿度５０％の環境下でビッカース四角錐ダイヤモンド圧子を用いて硬度を試験した時、荷重５ｍＮで押し込んだ時の弾性変形率が３０％以上４５％以下であり、
該磁性トナーは、結着樹脂及び磁性体を含む磁性トナー粒子と、無機微粉体及び有機微粉体とを含み、
該磁性トナーは、下記式（１）
圧縮率＝｛１−（見掛け密度／タップ密度）｝×１００    式（１）
から得られる圧縮率が３０％以下であり、
該有機微粉体が個数平均粒径（Ｄ１）０．０５μｍ以上１．００μｍ以下の樹脂粒子であり、
該樹脂粒子の該磁性トナー粒子からの遊離率が３質量％以下であることを特徴とするプロセスカートリッジ。
【請求項９】
静電荷像を担持するための静電荷像担持体を、該静電荷像担持体に接触配置した帯電部材によって帯電し、帯電された静電荷像担持体に静電荷像を形成し、トナー担持体に担持された磁性トナーによって静電荷像を現像してトナー像を形成する工程を有する画像形成方法に適用される磁性トナーであり、
該静電荷像担持体は、２５℃、湿度５０％の環境下でビッカース四角錐ダイヤモンド圧子を用いて硬度を試験した時、荷重５ｍＮで押し込んだ時の弾性変形率が３０％以上４５％以下であり、
該磁性トナーは、結着樹脂及び磁性体を含む磁性トナー粒子と、無機微粉体及び有機微粉体とを含み、
該磁性トナーは、下記式（１）
圧縮率＝｛１−（見掛け密度／タップ密度）｝×１００    式（１）
から得られる圧縮率が３０％以下であり、
該有機微粉体が個数平均粒径（Ｄ１）０．０５μｍ以上１．００μｍ以下の樹脂粒子であり、
該樹脂粒子の該磁性トナー粒子からの遊離率が３質量％以下であることを特徴とする磁性トナー。
【手続補正２】
【補正対象書類名】明細書
【補正対象項目名】発明の名称
【補正方法】変更
【補正の内容】
【発明の名称】画像形成方法、プロセスカートリッジ及び磁性トナー
【手続補正３】
【補正対象書類名】明細書
【補正対象項目名】００１２
【補正方法】変更
【補正の内容】
【００１２】
（１）静電荷像を担持するための静電荷像担持体を、該静電潜像担持体に接触配置した帯電部材によって帯電し、帯電された静電荷像担持体に静電荷像を形成し、トナー担持体に担持された磁性トナーによって静電荷像を現像してトナー像を形成する工程を有する画像形成方法であり、
該静電荷像担持体は、２５℃、湿度５０％の環境下でビッカース四角錐ダイヤモンド圧子を用いた硬度試験において、荷重５ｍＮで押し込んだ時の弾性変形率が３０％以上４５％以下であり、
該磁性トナーは、結着樹脂及び磁性体を含む磁性トナー粒子と、無機微粉体及び有機微粉体とを含み、
該磁性トナーは、下記式（１）
圧縮率＝｛１−（見掛け密度／タップ密度）｝×１００    式（１）
から得られる圧縮率が３０％以下であり、
該有機微粉体が個数平均粒径（Ｄ１）０．０５μｍ以上１．００μｍ以下の樹脂粒子であり、
該樹脂粒子の該磁性トナー粒子からの遊離率が３質量％以下であることを特徴とする画像形成方法
【手続補正４】
【補正対象書類名】明細書
【補正対象項目名】００１４
【補正方法】変更
【補正の内容】
【００１４】
【化１】
2010039263.tif 000002
（式（２）中、Ｘは単結合、−Ｏ−、−Ｓ−又は置換もしくは無置換のアルキリデン基を示す。Ｒ１１〜Ｒ１８は同一又は異なって、水素原子、ハロゲン原子、アルコキシ基、ニトロ基、置換もしくは無置換のアルキル基又は置換もしくは無置換のアリール基を示す。）
で示され、且つ重量平均分子量（Ｍｗ）が７．５×１０3以上２．０×１０4以下である構成単位を有するポリカーボネート樹脂を５質量％以上３０質量％以下含有する感光体であることを特徴とする（１）に記載の画像形成方法。
【手続補正５】
【補正対象書類名】明細書
【補正対象項目名】００１５
【補正方法】変更
【補正の内容】
【００１５】
（３）該磁性トナーの粉体流動性測定装置において測定されたＴｏｔａｌ  Ｅｎｅｒｇｙが下記式（３）及び（４）
８００≦ＴＥ10≦１４００                  式（３）
ＴＥ10／ＴＥ100≦１．６０                  式（４）
（ＴＥ10；撹拌速度が１０回転の時のＴｏｔａｌ  Ｅｎｅｒｇｙ、ＴＥ100；撹拌速度が１００回転の時のＴｏｔａｌ  Ｅｎｅｒｇｙ）
を満足することを特徴とする（１）または（２）に記載の画像形成方法。
【手続補正６】
【補正対象書類名】明細書
【補正対象項目名】００１６
【補正方法】変更
【補正の内容】
【００１６】
（４）該樹脂粒子のＢＥＴ法で測定される比表面積が１０ｍ2／ｇ以上８０ｍ2／ｇ以下であり、重量平均分子量（Ｍｗ）が５万以上１００万以下であることを特徴とする（１）乃至（３）のいずれかに記載の画像形成方法。
【手続補正７】
【補正対象書類名】明細書
【補正対象項目名】００１７
【補正方法】変更
【補正の内容】
【００１７】
（５）該磁性トナーは、磁場７９．６ｋＡ／ｍで着磁されたときの残留磁化が３．０Ａｍ2／ｋｇ以下であることを特徴とする（１）乃至（４）のいずれかに記載の画像形成方法。
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】変更
【補正の内容】
【００１９】
（６）該磁性トナーは、該磁性トナー粒子が懸濁重合法で製造されたトナー粒子であることを特徴とする（１）乃至（５）のいずれかに記載の画像形成方法。
【手続補正１０】
【補正対象書類名】明細書
【補正対象項目名】００２０
【補正方法】変更
【補正の内容】
【００２０】
（７）該磁性トナーは、該磁性トナー粒子が熱処理による表面改質工程を含む粉砕法により製造されたことを特徴とする（１）乃至（５）のいずれかに記載の画像形成方法。
【手続補正１１】
【補正対象書類名】明細書
【補正対象項目名】００２１
【補正方法】変更
【補正の内容】
【００２１】
（８）静電荷像担持体、及び、磁性トナーを有する現像容器を有するプロセスカートリッジであり、
該静電荷像担持体は、２５℃、湿度５０％の環境下でビッカース四角錐ダイヤモンド圧子を用いて硬度を試験した時、荷重５ｍＮで押し込んだ時の弾性変形率が３０％以上４５％以下であり、
該磁性トナーは、結着樹脂及び磁性体を含む磁性トナー粒子と、無機微粉体及び有機微粉体とを含み、
該磁性トナーは、下記式（１）
圧縮率＝｛１−（見掛け密度／タップ密度）｝×１００    式（１）
から得られる圧縮率が３０％以下であり、
該有機微粉体が個数平均粒径（Ｄ１）０．０５μｍ以上１．００μｍ以下の樹脂粒子であり、
該樹脂粒子の該磁性トナー粒子からの遊離率が３質量％以下であることを特徴とするプロセスカートリッジ。
（９）静電荷像を担持するための静電荷像担持体を、該静電荷像担持体に接触配置した帯電部材によって帯電し、帯電された静電荷像担持体に静電荷像を形成し、トナー担持体に担持された磁性トナーによって静電荷像を現像してトナー像を形成する工程を有する画像形成方法に適用される磁性トナーであり、
該静電荷像担持体は、２５℃、湿度５０％の環境下でビッカース四角錐ダイヤモンド圧子を用いて硬度を試験した時、荷重５ｍＮで押し込んだ時の弾性変形率が３０％以上４５％以下であり、
該磁性トナーは、結着樹脂及び磁性体を含む磁性トナー粒子と、無機微粉体及び有機微粉体とを含み、
該磁性トナーは、下記式（１）
圧縮率＝｛１−（見掛け密度／タップ密度）｝×１００    式（１）
から得られる圧縮率が３０％以下であり、
該有機微粉体が個数平均粒径（Ｄ１）０．０５μｍ以上１．００μｍ以下の樹脂粒子であり、
該樹脂粒子の該磁性トナー粒子からの遊離率が３質量％以下であることを特徴とする磁性トナー。
【手続補正１２】
【補正対象書類名】明細書
【補正対象項目名】０１９５
【補正方法】変更
【補正の内容】
【０１９５】
図２において、１００は静電荷像担持体たる感光ドラム、１０２はトナー担持体たる現像スリーブ、１０４は磁界発生手段たるマグネットローラ、１４０は磁性トナー４を収容するトナー容器を兼ねる現像容器、１０３はトナー規制部材としての現像ブレードである。